(57)【特許請求の範囲】
【請求項１】
一端に封止部が形成されたバルブと；
このバルブに収容され、コイル軸がバルブ軸に沿って配置されたダブルコイルまたはトリプルコイルからなるフィラメントと；
上記封止部からバルブ内に延び、上記フィラメントに沿ってバルブの他端に延長されて上記フィラメントの他端に継線された一方のリード線と；
上記封止部からバルブ内に延び、上記フィラメントの一端に継線された他方のリード線と；
を具備し、
上記フィラメントの中央部におけるこのフィラメントと上記一方のリード線との距離をＡ、上記フィラメントの中央部におけるバルブ内径をＤとした場合、
Ａ≦０．５５Ｄ
としたことを特徴とする白熱電球。
【請求項２】
フィラメント長ＣＬが８mm以上であることを特徴とする請求項１に記載の白熱電球。
【請求項３】
上記フィラメントの中央部におけるバルブの最大内径Ｄは、１５mm以下であることを特徴とする請求項１または請求項２に記載の白熱電球。
【請求項４】
バルブの形状は円筒形であることを特徴とする請求項１ないし請求項３のいずれか一に記載の白熱電球。
【請求項５】
バルブの形状はフィラメントを収容した箇所が楕円球形であることを特徴とする請求項１ないし請求項３のいずれか一に記載の白熱電球。
【請求項６】
封止部に連続するバルブ端部の内径が８mm以下であり、このバルブ端部には一対のリード線を保持したブリッジガラスが設けられていることを特徴とする請求項１ないし請求項５のいずれか一に記載の白熱電球。
【請求項７】
請求項１ないし請求項６のいずれか一に記載の白熱電球と；  この白熱電球が組み込まれた反射体と；
を備えたことを特徴とする反射形照明装置。
【発明の詳細な説明】
【０００１】
【発明の属する技術分野】
本発明は、フィラメントを収容したバルブをアンカーを用いることなく支持するようにした白熱電球およびこれを用いた反射形照明装置に関する。
【０００２】
【従来の技術】
ハロゲン電球を含む白熱電球において、片封止形のバルブ内にフィラメントを縦方向に配置したもの、つまりフィラメント軸がバルブ軸方向に沿って配置されたもの（ＣＣ−８型）は、フィラメントが封止部から導かれた一対のリード線により支持されている。すなわち、封止部から導かれた一方のリード線はバルブ内に延び、上記フィラメントに沿ってバルブの他端へ延長され、この先端に上記フィラメントの一端が継線されており、また他方のリード線は上記封止部からバルブ内に延び、その先端で上記フィラメントの他端と継線されている。
【０００３】
このようなＣＣ−８型フィラメントを備えた白熱電球は、点灯中に衝撃や振動が加えらると、高温状態のフィラメントが揺れてバルブの内面に接触し、バルブが破損するという心配がある。これを防止するため、従来、フィラメントの略中央部分をアンカーで支持するようにしていた。
【０００４】
アンカーは、封止部に近いバルブ端部に収容されたブリッジガラスに植設されており、このブリッジガラスには上記一対のリード線も貫通して保持されている。
【０００５】
【発明が解決しようとする課題】
しかしながら、最近、白熱電球を点光源に近付けて反射鏡などに組み込んだ場合のフォーカス調整を容易にしたいという要請があり、またコストダウンの要請も強くなり、このため小形化が進められている。例えば楕円形バルブの内径を１５mm以下にするなどの具体案が検討されている。
【０００６】
しかし、バルブを小形化した場合、ブリッジガラスを収容してある箇所のバルブ径も小さくなり、よって、ブリッジガラスの長さが規制される。このようなブリッジガラスに一対の内部リード線およびアンカーを取り付けると、長さが短いのでこれら一対のリード線とアンカーが相互に近接し、沿面距離が短くなるから互いに導通したり、放電を発生する心配がある。このため、アンカーの使用を廃止し、ブリッジガラスも廃止またはブリッジガラスを短くしたという要求が出てきた。
【０００７】
しかし、アンカーが廃止されると、前述したように、点灯中に衝撃や振動が加えらるとフィラメントが揺れてバルブの内面に接触し、バルブが破損するという心配がある。特に、フィラメントがダブルコイルまたはトリプルコイルで形成された場合は、フィラメントの中央部分の振幅が大きく、よってバルブを小形にするとフィラメントが揺れた場合にバルブの内面に接触し易いという問題がある。
【０００８】
本発明はこのような事情にもとづきなされたもので、その目的とするところは、アンカーを廃止してもフィラメントがバルブ内面に接触するのを防止することができる白熱電球およびこれを用いた反射形照明装置を提供しようとするものである。
【０００９】
【課題を解決するための手段】
［構成］
請求項１の発明は、一端に封止部が形成されたバルブと；このバルブに収容され、コイル軸がバルブ軸に沿って配置されたダブルコイルまたはトリプルコイルからなるフィラメントと；上記封止部からバルブ内に延び、上記フィラメントに沿ってバルブの他端に延長されて上記フィラメントの他端に継線された一方のリード線と；上記封止部からバルブ内に延び、上記フィラメントの一端に継線された他方のリード線と；を具備し、
上記フィラメントの中央部におけるこのフィラメントと上記一方のリード線との距離をＡ、上記フィラメントの中央部におけるバルブ内径をＤとした場合、
Ａ≦０．５５Ｄ    としたことを特徴とする白熱電球である。
【００１０】
請求項２の発明は、フィラメント長ＣＬが８mm以上であることを特徴とする請求項１に記載の白熱電球である。
請求項３の発明は、上記フィラメントの中央部におけるバルブの最大内径Ｄは、１５mm以下であることを特徴とする請求項１または請求項２に記載の白熱電球である。
【００１１】
請求項４の発明は、バルブの形状は円筒形であることを特徴とする請求項１ないし請求項３のいずれか一に記載の白熱電球である。
請求項５の発明は、バルブの形状はフィラメントを収容した箇所が楕円球形であることを特徴とする請求項１ないし請求項３のいずれか一に記載の白熱電球である。
【００１３】
請求項６の発明は、封止部に連続するバルブ端部の内径が８mm以下であり、
このバルブ端部には一対のリード線を保持したブリッジガラスが設けられていることを特徴とする請求項１ないし請求項５のいずれか一に記載の白熱電球である。
【００１４】
請求項７の発明は、請求項１ないし請求項６のいずれか一に記載の白熱電球と；この白熱電球が組み込まれた反射体と；を備えたことを特徴とする反射形照明装置である。
【００１５】
なお、本発明の白熱電球はハロゲン電球を含み、バルブの表面に赤外線反射膜などのような多層干渉膜を形成したものであってもよく、または形成しないものであってもよい。
【００１６】
［作用］
請求項１の発明によれば以下の作用を奏する。すなわち、バルブに衝撃や振動が与えられるとフィラメントが共振する。本発明者らが実験により確かめたところによれば、図４に示すＹ方向へ振動を与えた場合であってもフィラメントの中央部はＹ方向ばかりでなくＸ方向へも共振することが判った。ただし、この場合、Ｙ方向の振幅に対しＸ方向の振幅は小さく、フィラメント中央部は図に示すように、楕円（長円）形領域内で共振運動する。
【００１７】
このような共振運動では、フィラメントがこれに沿って配線されている一方のリード線に接触したときにこのリード線でＸ方向への共振が抑えられることになり、ゆえにＹ方向の振動もこれに見合った楕円（長円）形領域内に規制されるようになる。フィラメントがＹ方向へ振動するのが制限されるとバルブの内面に接触しなくなり、つまり、フィラメントが一方のリード線に接触することによりその共振が抑制され、バルブ内面には接触しなくなることが確かめられた。
【００１８】
このようなことから本発明者らは、実験、研究を重ねた結果、請求項１の発明の通り、フィラメントの中央部におけるこのフィラメントと一方のリード線との距離をＡ、上記フィラメントの中央部におけるバルブ内径をＤとした場合、、アンカーを使用しなくてもフィラメントがバルブに接触するのを防止できることが判った。
【００１９】
請求項２の発明によれば、フィラメントの長さＣＬが８mm以上である場合中央部の振幅が大きくなるが、請求項１に示したＡ≦０．５５Ｄの条件を満足すればフィラメントがバルブに接触するのを確実に防止することができる。
【００２０】
請求項３の発明によれば、フィラメントの中央部におけるバルブの最大内径Ｄを１５mm以下とした白熱電球の場合は、フィラメントとバルブの距離が接近してフィラメントがバルブに接触し易くなるが、請求項１の条件を満足すればバルブの最大内径Ｄが１５mm以下の小形電球でもフィラメントの接触を防止することができる。
【００２１】
請求項４の発明によれば、バルブの形状が円筒形である場合、フィラメントの中央部におけるバルブの最大内径が小さくなり勝ちであり、このような場合にフィラメントとバルブの距離が接近してフィラメントがバルブに接触し易くなるが、請求項１の条件を満足すれば円筒形バルブであってもフィラメントの接触を防止することができる。
【００２２】
請求項５の発明によれば、バルブ形状がフィラメントを収容した箇所で楕円球形である場合、フィラメントとバルブの距離が比較的離れるようになるから、フィラメントがバルブに接触する割合が少なくなり、一層接触を防止する。
【００２４】
請求項６の発明によれば、封止部に連続するバルブ端部の内径が８mm以下である場合、ブリッジガラスの長さを短くしなければならず、アンカーを使用できなくなるが、上記各請求項の条件を満足すればアンカーを使用しなくてもフィラメントがバルブに接触するのを抑止することができる。
請求項７の発明によれば、請求項１ないし請求項６のいずれか一に記載した白熱電球の利点を活用できる反射形照明装置を提供することができる。
【００２５】
【発明の実施の態様】
以下本発明について、図１ないし図６に示す第１の実施例にもとづき説明する。
この実施例は片封止形ハロゲン電球およびこれを用いた反射形照明装置に適用した例を示し、図１ないし図４は光源として使用される片封止形ハロゲン電球の構成を示す図、図５は特性図、図６は反射形照明装置の図である。
【００２６】
図１ないし図４に示す片封止形ハロゲン電球１は、石英ガラスからなる発光管バルブ２の一端に圧潰封止部３が形成されており、この封止部３に連続して内径が８mm以下の円筒部４が形成されており、さらにこの円筒部４に連続して球形部としての楕円球部５が形成されている。楕円球部５は上記封止部３およびその反対側方向に沿う長軸を有し、この長軸方向がバルブ中心軸Ｏ1 −Ｏ1 となっている。なお、楕円球部５の楕円形状は長軸／短軸の割合が２０／１４程度に設定されており、この楕円球部５の最大内径Ｄは１５mm以下とされている。
【００２７】
楕円球部５の他端にはバルブ中心軸Ｏ1 −Ｏ1 上に位置して細管６が突設されている。この細管６は、実質的に排気管を封止切りして残った突出部を利用している。
【００２８】
上記バルブ２の外面（内面でも可）には可視光透過赤外線反射膜７が形成されている。上記赤外線反射膜７は、図３に示すように、高屈折率層７１…低屈折率層７２…とを交互に、例えば合計６〜８０層の多層膜として構成したものであり、本実施例では合計３４層の積層構造としてある。このような赤外線反射膜７は多層干渉作用により赤外線を反射し、しかしながら可視光を透過する作用を奏する。  上記高屈折率層７１…は、酸化チタン（ＴｉＯ2 ）を主成分として構成されており、また低屈折率層７２…は、酸化ケイ素（シリカ＝ＳｉＯ2 ）を主成分としている。
【００２９】
上記バルブ２内には、フィラメント８が収容されている。フィラメント８は、タングステンワイヤにてダブルコイルまたはトリプルコイル（本例ではダブルコイル）に形成されており、そのコイル軸Ｏ2 −Ｏ2 が上記バルブ中心線Ｏ1 −Ｏ1 と一致するように配置されている。また、フィラメント８は、長さＣＬが８mm以上、例えば８mm〜１２mmとなっており、楕円球部５の第１の焦点Ｆ1 および第２の焦点Ｆ2 に概略跨がる長さを有し、フィラメント８の端部はこれら焦点Ｆ1 およびＦ2 の上または焦点を含むその近傍に配置されるようになっている。
【００３０】
なお、この場合フィラメント８は、タングステンワイヤの２０cm当りの重さＭＧが５mg〜２０mgとなっている。
上記フィラメント８は、一対の内部リード線１０、１１間に架設されている。これら内部リード線１０および１１は、基端部が記圧潰封止部３に封着されたモリブデンＭｏなどからなる金属箔導体１２，１３に接続されており、先端部はバルブ２の円筒部４を通って楕円球部５に導かれている。これら一対の内部リード線１０、１１は、途中が円筒部４内においてブリッジガラス９により連結されており、これによりこれら内部リード線１０、１１は相互の間隔が保たれている。
【００３１】
上記ブリッジガラス９は上記一対の内部リード線１０、１１が並ぶ方向に伸びる棒状をなしており、円筒部４内に配置されている。
上記一対の内部リード線１０、１１の途中はブリッジガラス９を貫通して楕円球部５に伸びており、一方の内部リード線１０は楕円球部５内をフィラメント８に沿って他端側に伸びている。この内部リード線１０に先端部は前記細管６に差し込まれており、この差し込み部が細管６に機械的に係止されて係止部１０ａをなしている。そしてこの内部リード線１０の先端は、上記細管６内の係止部１０ａからさらにバルブ中心線Ｏ1 −Ｏ1 に沿ってフィラメント８の他端側に伸びている。他方の内部リード線１１は、ブリッジガラス９を貫通して楕円球部５内に伸びており、バルブ中心線Ｏ1 −Ｏ1 に沿ってフィラメント８の一端側に導かれている。
【００３２】
前記フィラメント８は両端部にコイル形状の脚部８ａ、８ｂを有しており、これら脚部８ａ，８ｂが上記内部リード線１０、１１のそれぞれ先端部に継線されている。これによりフィラメント８はこれら内部リード線１０、１１間に架設されている。
【００３３】
このような配置において、フィラメント８とこれに沿ってバルブ２の他端に導かれた一方の内部リード線１０の間隔Ａは、図４に示す関係を満足するように設定されている。すなわち、フィラメント８の中央部における中心と、内部リード線１０の中心との間隔Ａは、この箇所のバルブ内径（バルブの最大内径に相当）Ｄとの関係は、
Ａ≦０．５５Ｄ      ……（１）
とされている。
【００３４】
特に、フィラメント８の長さＣＬが８mm以上１２mm以下であり、フィラメント８を構成するタングステン素線の２０cm当りの重さＭＧが１５mg以下であり、かつ点灯中のフィラメントの最高色温度が２６００Ｋ以上３１００Ｋ以下である場合は、
Ａ≦０．４６Ｄ      ……（２）
とされている。
【００３５】
圧潰封止部３に封着されたモリブデンＭｏなどからなる金属箔導体１２，１３には、図１に示すように、外部リード線１４、１５が接続されている。
バルブ２の圧潰封止部３は、セラミック製の絶縁ベース１６が被冠されており、この絶縁ベース１６は圧潰封止部３に対して接着剤１７により接合されている。絶縁ベース１６は、捩じ込み形口金１８および外部端子１９を有し、上記外部リード線１４、１５はこれら捩じ込み形口金１８および外部端子１９に接続されている。
【００３６】
このような構成のハロゲン電球１は、図６に示すように、反射体２０に収容されて使用される。
図６に示す反射体２０は、反射面２１が形成されたリフレクタ２２を有し、このリフレクタ２２はガラス、金属、樹脂などからなり、この内面に形成された反射面２１はアルミニウムなどを蒸着して形成してもよいが、高屈折率層と低屈折率層とを交互に積層とした多層干渉膜により可視光を反射し、しかしながら赤外線を透過する可視光反射膜にて形成してもよい。このようなリフレクタ２２にはセラミックなどからなる絶縁ベース２３が接合されている。この絶縁ベース２３にはソケット２４が取り付けられており、上記ハロゲン電球１の捩じ込み形口金１８はこのソケット２４に脱着可能に取り付けられ、これにより反射体２０に収容されるようになっている。絶縁ベース２３の端部には捩じ込み形口金２５および外部端子２６が設けられており、これら捩じ込み形口金２５および外部端子２６は電源に接続されるようになっている。したがって、ハロゲン電球１を上記絶縁ベース２３のソケット２４に取り付けると、このハロゲン電球１は口金２５および外部端子２６を介して電源と接続されるようになっている。
【００３７】
このような構成の片封止形ハロゲン電球の作用を説明する。
外部リード線１４，１５に電源電圧が加えられるとフィラメント８に電流が流れ、よってフィラメント８が発光する。この光は周囲に放出され、バルブ２の楕円球部５を透過して外部に放射される。そして、この光が楕円球部５の外面に形成した赤外線反射膜７を透過する時に可視光は透過されるが赤外線は反射される。
【００３８】
上記赤外線反射膜７で反射された赤外線は、バルブ２の内部に戻され、この帰還した赤外線はフィラメント８を加熱する。この場合、フィラメント８はそのコイル軸Ｏ2 −Ｏ2 がバルブ中心線Ｏ1 −Ｏ1 と一致するように配置されているから、赤外線反射膜７で反射された赤外線はフィラメント８に効率よく戻され、しかも、本実施例の場合、フィラメント８は、楕円球形をなすバルブ２の第１の焦点Ｆ1 および第２の焦点Ｆ2 に跨がる長さを有し、端部はこれら焦点Ｆ1 およびＦ2 の上に配置されており、第１の焦点Ｆ1 から出た赤外線は第２の焦点Ｆ2 に戻り、また第２の焦点Ｆ2 から出た赤外線は第１の焦点Ｆ1 に戻るので、赤外線の帰還率、つまり回収率が高くなる。
【００３９】
よって、フィラメント８は電源から供給される電力エネルギーに加えて上記赤外線反射膜７で反射された赤外線によっても熱エネルギーが与えられるので、温度上昇が促され、白熱化が促されるようになり、発光強度を、赤外線反射膜を設けない場合と同等レベルにしようとすれば、赤外線反射膜７で反射されてフィラメント８を加熱する熱エネルギーの分だけ電源から供給される電力エネルギーを少なくすることができ、消費電力を節約することができる。
【００４０】
上記構成のハロゲン電球１は、図５に示す反射体２０に収容された場合、バルブ２および赤外線反射膜７を透過した可視光は反射面２１で反射され、リフレクタ２２の前面開口部から前方を照射する。
【００４１】
このような反射形照明装置によれば、ハロゲン電球１の効率が向上するから、その利点を活用することができ、効率の優れた照明装置となる。
そして、本実施例においては、図４に示す通り、フィラメント８中央部とフィラメント８に沿ってバルブ２の他端に導かれた一方の内部リード線１０との間隔Ａは、この箇所のバルブ内径（バルブの最大内径に相当）をＤとすると、
Ａ≦０．５５Ｄ      ……（１）
とされている。
【００４２】
すなわち、バルブ２に衝撃や振動が与えられるとフィラメント８が共振し、例え図４のＹ方向のみに振動を与えてもフィラメント８の中央部はＹ方向ばかりでなくＸ方向へも共振する。ただし、Ｙ方向の振幅に対しＸ方向の振幅は小さく、フィラメント中央部は図に示すように、楕円（長円）形に振動する。このような共振運動では、フィラメント８がこれに沿って配置されている一方のリード線１０に接触したときフィラメント８はこのリード線１０によりＸ方向への共振が抑えられることになり、同時にＹ方向への振動も規制される。よって、フィラメント８が一方のリード線１０に接触して共振が抑制されたときにバルブ２の内面には接触しなくなるようにすればよく、このためにはフィラメント８中央部と一方のリード線１０との間隔Ａを規制すればよいことが判った。
【００４３】
上記（１）式は、本発明者らの実験により確かめたものであり、これについて説明すると、フィラメント８をＹ方向に振動させたときにフィラメント８がバルブ２に接触するか否かはフィラメント８をばねと看做してそのばね特性を検討することにより推定できる。ダブルコイルにおけるばね特性は、材料（タングステン）の弾性率、フィラメント長ＣＬ、タングステン素線の２０cm当りの重さＭＧ（mg）、１次巻線の芯線径、２次巻線の芯線径、２次巻線の巻数、１次巻線の％ピッチ（＝１次巻線のコイルピッチ／素線径×１００）、２次巻線の％ピッチ（＝２次巻線のコイルピッチ／１次巻線の外径×１００）および点灯時のフィラメント温度などで決定される。
【００４４】
これらの条件を種々変更して振幅に影響を及ぼす要因を調べたところ、本発明者らは、フィラメントの材料は通常タングステンであるから弾性率は変化せず、またこの種小形ハロゲン電球の場合、１次巻線の芯線径＝０．２〜０．４mm、２次巻線の芯線径＝０．７〜１．０mm、２次巻線の巻数＝６〜１３ターン、１次巻線の％ピッチ＝１５０〜２５０、２次巻線の％ピッチ＝１２０〜３００の範囲であり、これらの変化はほとんど振幅に影響を与えない、またはその影響が少ないことを確認した。
【００４５】
振幅に影響を及ぼす要因は、フィラメント長ＣＬ、フィラメントを構成するタングステン素線の２０cm当りの重さＭＧ、および点灯中フィラメントの最高色温度であることが判った。
【００４６】
この種電球のフィラメント温度は２６００Ｋ以上３１００Ｋ以下であるから、この範囲でＡ／Ｄの関係と、フィラメントのバルブ接触率％との関係を種々試験したところ、図５に示す特性図を得た。
【００４７】
図５において、特性ａはＣＬ＝８〜１２mm、ＭＧ＝５mgであり、また特性ｂはＣＬ＝８〜１２mm、ＭＧ＝２０mgの場合である。これの特性から、Ａ／Ｄが０．５５以下であればフィラメントのバルブ接触率を抑制できることが判った。
【００４８】
特に特性ａから、フィラメント８の長さＣＬが８mm以上１２mm以下であり、フィラメント８を構成するタングステン素線の２０cm当りの重さＭＧが１５mg以下であり、かつ点灯中のフィラメントの最高色温度が２６００Ｋ以上３１００Ｋ以下である場合は、
Ａ≦０．４６Ｄ      ……（２）
の範囲が良好であることが判る。
【００４９】
このようなことから、前記（１）式を満足すれば、フィラメント８が共振を生じた場合でも、フィラメント８が一方のリード線１０に接触することによりＸ方向へのそれ以上の振幅の成長が防止され、その結果Ｙ方向への振動が抑制されてフィラメント８がバルブ２に接触するのが防止されるようになる。
特に、好ましいのは、上記（２）を満足した場合である。
【００５０】
したがって、このような電球であれば、アンカーを使用しなくてもフィラメントがバルブに接触するのが防止されるから、アンカーを使用しない分バルブ径を小さくすることができ、またブリッジガラス９の長さを小さくすることができる。
【００５１】
なお、上記実施例においては、バルブ形状が円筒部５と楕円球部５を有する形状の場合について説明したが、本発明はこれに限らず、図７に示すような円筒形バルブの場合であっても実施可能である。すなわち、図７においては２は石英からなる円筒形バルブ、３は圧潰封止部、７は赤外線反射膜、８はフィラメント、９はブリッジガラス、１０，１１は内部リード線、１２，１３はモリブデン箔、１６は絶縁ベース、１８は捩じ込み形口金、１９は端子である。
このような円筒形の片封止形ハロゲン電球の場合でも、本発明の条件を具備すれば、アンカ−を使用することなくフィラメント８がバルブ２に接触するのを防止することができ、バルブ２の破損を防止し、かつバルブ径の小形化が可能になる。
【００５２】
【発明の効果】
以上説明したように請求項１の発明によると、フィラメントが共振しても、このフィラメントがリード線に接触すればそれ以上の振幅の増大が規制されるから、フィラメントがバルブの内面に接触しなくなり、よってアンカーを使用しなくてもフィラメントがバルブに接触するのを防止できる。このようなことから、バルブ径を小さくすることができる。
【００５３】
請求項２の発明によれば、フィラメントの長さＣＬが８mm以上である場合中央部の振幅が大きくなるが、Ａ≦０．５５Ｄの条件を満足すればフィラメントがバルブに接触するのを確実に防止することができる。
【００５４】
請求項３の発明によれば、フィラメントの中央部におけるバルブの最大内径Ｄを１５mm以下とした白熱電球の場合は、フィラメントとバルブの距離が接近してフィラメントがバルブに接触し易くなるが、請求項１の条件を満足すればバルブの最大内径Ｄが１５mm以下の小形電球でもフィラメントの接触を防止することができる。
【００５５】
請求項４の発明によれば、バルブの形状が円筒形である場合、フィラメントの中央部におけるバルブの最大内径が小さくなり勝ちであり、このような場合にフィラメントとバルブの距離が接近してフィラメントがバルブに接触し易くなるが、請求項１の条件を満足すれば円筒形バルブであってもフィラメントの接触を防止することができる。
【００５６】
請求項５の発明によれば、バルブ形状がフィラメントを収容した箇所で楕円球形である場合、フィラメントとバルブの距離が比較的離れるようになるから、フィラメントがバルブに接触する割合が少なくなり、一層接触を防止する。
【００５８】
請求項６の発明によれば、封止部に連続するバルブ端部の内径が８mm以下である場合、ブリッジガラスの長さを短くしなければならず、アンカーを使用できなくなるが、上記各請求項の条件を満足すればアンカーを使用しなくてもフィラメントがバルブに接触するのを抑止することができる。
請求項７の発明によれば、請求項１ないし請求項６のいずれか一に記載した白熱電球の利点を活用できる反射形照明装置を提供することができる。
【図面の簡単な説明】
【図１】本発明の第１の実施例を示し、球形部と円筒部を有するハロゲン電球の正面図。
【図２】同実施例のハロゲン電球の斜視図。
【図３】赤外線反射膜を構成する多層干渉膜の構造を模式的に示す断面図。
【図４】図１中、IV−IV線に沿う断面図。
【図５】フィラメントとリード線との離間寸法と、フィラメントのバルブ接触率との関係を示す特性図。
【図６】図１ないし図４に示すハロゲン電球を光源とした反射形照明装置の断面図。
【図７】本発明の第２の実施例を示し、円筒形ハロゲン電球の正面図。
【符号の説明】
１…ハロゲン電球
２…バルブ
３…封止部                  ４…円筒部
５…楕円球部                ６…細管
７…赤外線反射膜
８…フィラメント
９…ブリッジガラス
１０，１１…内部リード線
２０…反射体
２１…反射面
２２…リフレクタ
【図１】
0003674093.tif 000002
【図２】
0003674093.tif 000003
【図３】
0003674093.tif 000004
【図４】
0003674093.tif 000005
【図５】
0003674093.tif 000006
【図６】
0003674093.tif 000007
【図７】
0003674093.tif 000008